(57)【要約】  本発明は、実質的に漏れ磁界のない少なくとも一つの詰込配列のマルチストリーム磁気共鳴装置（１Ａ〜１Ｄ）よりなり、対象目的物の隣接ラインを元のままで同時に分析するための広磁界視野にわたる高分解能画像生成のための携帯型品質／工程管理（ＱＰＣ）システムであって、同時または既定の手順で検出乃至分析すべき複数の対象目的物を搬送移動させる少なくとも２つの隣接給送ストリームからなる高性能供給システムを選択的に備えていることを特徴とする品質／工程管理システムを提案する。更に、本発明は、試料の複数ストリームの計測を実行すると共に、同時または既定の手順で検出乃至分析すべき複数の対象目的物を搬送移動させる少なくとも２つの隣接給送ストリームを選択的に送給する方法を提案する。【選択図】図１
2008544217.tif 000002
【特許請求の範囲】
【請求項１】
実質的に漏れ磁界のない少なくとも一つの詰込配列のマルチストリーム磁気共鳴装置よりなり、対象目的物の隣接ラインを元のままで同時に分析するための広磁界視野にわたる高分解能画像生成のための携帯型品質／工程管理（ＱＰＣ）システムであって、同時または既定の手順で検出乃至分析すべき複数の対象目的物を搬送移動させる少なくとも２つの隣接給送ストリームからなる高性能供給システムを選択的に備えていることを特徴とする品質／工程管理システム。
【請求項２】
前記詰込配列がｉ個の磁気共鳴装置よりなる積層構造であり、磁気共鳴装置が幅ｘ、高さｙ、奥行ｚを有し、前記「ｉ」が２以上の整数であり、前記「ｘ」「ｙ」「ｚ」が０以上の整数である請求項１に記載の品質／工程管理システム。
【請求項３】
前記積層構造が多角形、円形あるいはこれらを組み合わせた形であることを特徴とする請求項２記載の品質／工程管理システム。
【請求項４】
前記対象目的物の少なくとも一部を搬送ベルトを用いて磁気共鳴装置に送り込むことを特徴とする請求項１に記載の品質／工程管理システム。
【請求項５】
前記対象目的物の少なくとも一部をトンネルまたは導管またはパイプを介して磁気共鳴装置に送り込むことを特徴とする請求項１に記載の品質／工程管理システム。
【請求項６】
動作を連続方式もしくはバッチ方式で実行することを特徴とする請求項１に記載の品質／工程管理システム。
【請求項７】
磁気共鳴装置の磁石をＲＦおよび磁気シールド手段の一方もしくは両方を用いて直接的に遮蔽することを特徴とする請求項１に記載の品質／工程管理システム。
【請求項８】
磁気共鳴装置の磁石をＲＦおよび磁気シールド手段の一方もしくは両方を用いて間接的に遮蔽することを特徴とする請求項１に記載の品質／工程管理システム。
【請求項９】
コンピュータ手段（１０Ａ）によって、傾斜磁場電源（１０Ｂ）とＲＦ送信乃至増幅器（１０Ｃ）の時分割、ＲＦ受信機（１０Ｄ）の時分割、デジタル信号処理手段（１０Ｅ）の時分割を実行することを特徴とする請求項１に記載の品質／工程管理システム。
【請求項１０】
対象目的物が固体あるいは液体であることを特徴とする請求項１に記載の品質／工程管理システム。
【請求項１１】
対象目的物が、農業原材料、農産物、化粧品、粉末物品、気体物品、封入物、薬剤、工業製品、金属製品、あるいは、連続した物品もしくは分離した物品であることを特徴とする請求項１に記載の品質／工程管理システム。
【請求項１２】
請求項１に記載の品質／工程管理システムにおいて広磁界視野にわたる高分解能画像生成のための磁気共鳴装置であって、多層ケージと囲包キャビティよりなり、
（ａ）前記多層ケージは、
ｉ  強力な永久磁石による閉磁気回路３０１と、
ｉｉ  シム調整受動素子と、シム調整能働素子のいずれかもしくは組み合わせによる配列アレイで構成されたシム調整機構３０２と、
ｉｉｉ  広域傾斜磁場コイル３０３と、
ｉｖ  アレイ状の局所傾斜磁場コイル３０４とからなり、
（ｂ）前記囲包キャビティ３０５に試料が送り込まれて画像生成処理され、
これによって広磁界視野における低分解能画像と狭磁界視野における高分解能画像とこれらを組み合わせた画像が得られることを特徴とする磁気共鳴装置。
【請求項１３】
請求項１２記載の品質／工程管理システムにおいて、隣接する局所傾斜磁場コイル３０４が重なり合い、試料空孔キャビティ３０５の各部を少なくとも一つの局所傾斜磁場コイルの磁場内に位置させるようにしたことを特徴とする磁気共鳴装置。
【請求項１４】
請求項１２記載の品質／工程管理システムにおいて、少なくとも一つの局所傾斜磁場コイルの磁場が試料空孔キャビティ３０５の一部を囲包するように局所傾斜磁場コイルを試料空孔キャビティ３０５に相対して移動操作できる軌道を備えたことを特徴とする磁気共鳴装置。
【請求項１５】
請求項１２記載の品質／工程管理システムにおいて、一つの大型試料か複数の小型試料を試料空孔キャビティ３０５に送り込み、試料全体の画像生成を行うことを特徴とする磁気共鳴装置。
【請求項１６】
請求項１２記載の品質／工程管理システムにおいて、複数の局所傾斜磁場コイル３０４によって複数の画像を連続的に取得できる高速スルーレートの特性を局所傾斜磁場コイル３０４に持たせて、複数の局所傾斜磁場コイル３０４の全体に及ぶ大型試料の画像生成を行うことを特徴とする磁気共鳴装置。
【請求項１７】
請求項１２記載の品質／工程管理システムにおいて、２つの磁極片と側壁磁石列によって磁石構成と試料空孔キャビティ３０５内に磁束を封じ込める閉磁気回路３０１を形成したことを特徴とする磁気共鳴装置。
【請求項１８】
請求項１２記載の品質／工程管理システムにおいて、広域傾斜磁場コイル３０３の磁界視野が試料空孔キャビティ３０５の総容積を囲包していることを特徴とする磁気共鳴装置。
【請求項１９】
請求項１２記載の品質／工程管理システムにおいて、シム調整機構３０２がシム調整受動素子列よりなることを特徴とする磁気共鳴装置。
【請求項２０】
請求項１２記載の品質／工程管理システムにおいて、シム調整機構３０２が、調整可能なシム調整コイル列よりなり、磁界視野内に位置する試料の高分解核磁気共鳴スペクトルが得られるよう少なくとも一つの広域傾斜磁場コイルの磁界視野全体に均一な磁場を形成するよう調整可能にしたことを特徴とする磁気共鳴装置。
【請求項２１】
請求項１２記載の品質／工程管理システムにおいて、シム調整機構３０２が、試料全体のうちの限定領域に均一な磁場を形成する調整可能なシム調整コイル列よりなることを特徴とする磁気共鳴装置。
【請求項２２】
請求項１２記載の品質／工程管理システムにおいて処理対象者の頭部の画像生成することができる磁気共鳴装置であって、処理対象者の肩から胴体上部を囲包する大きさの空孔キャビティを有し、監視注目範囲のみで磁場を変えて局所傾斜磁場コイルの磁界視野外における神経刺激を防止することを特徴とする人間の頭部の画像生成に適用する磁気共鳴装置。
【請求項２３】
請求項２２記載の品質／工程管理システムにおいて、側壁磁石列３０１ｃを屈曲させて対象者の頭部３１１および肩を囲包する範囲内の磁場を均一にすることを特徴とする磁気共鳴装置。
【請求項２４】
請求項１に記載の品質／工程管理システムにおいて、ケージと、囲包キャビティと、搬送手段とからなるマルチストリーム磁気共鳴装置であって、
（ａ）前記ケージは、
ｉ  強力な永久磁石による閉磁気回路３０１と、
ｉｉ  シム調整受動素子、シム調整能働素子のいずれかもしくは組み合わせによる配列アレイで構成されたシム調整機構とからなり、
（ｂ）前記囲包キャビティは内部に略々均一な磁場強度を形成し、
（ｃ）前記搬送手段は、複数試料を前記均一磁場の領域に送り込む搬送ベルト２Ａ〜２Ｄあるいはパイプで構成され、
これによって、均一磁場の領域内の複数試料を磁気共鳴測定することを特徴とするマルチストリーム磁気共鳴装置。
【請求項２５】
請求項２４記載の品質／工程管理システムにおいて、２つの磁極片と側壁磁石列によって磁石構成と試料空孔キャビティ３０５内に磁束を封じ込める閉磁気回路３０１を形成したことを特徴とするマルチストリーム磁気共鳴装置。
【請求項２６】
請求項２４記載の品質／工程管理システムにおいて、複数の試料イメージングユニットと、演算処理手段を備え、
（ａ）前記複数の試料イメージングユニットは、
ｉ  試料を均一磁場範囲に導く搬送ベルトと、
ｉｉ  搬送ベルト回りに配される傾斜磁場コイルと、
ｉｉｉ  磁気共鳴測定プローブとからなり、
（ｂ）前記演算処理手段はＣＰＵからなり、試料イメージングユニットの傾斜磁場コイルを連続して高速に作動させて均一磁場に置かれた複数の異なった試料を磁気共鳴測定する
ことを特徴とするマルチストリーム磁気共鳴装置。
【請求項２７】
請求項２６記載の品質／工程管理システムにおいて、試料イメージングユニットを互いに平行に配置して、複数のストリームに沿って複数試料を均一磁場領域に送り込めることを特徴とするマルチストリーム磁気共鳴装置。
【請求項２８】
請求項２６記載の品質／工程管理システムにおいて、磁気回路の磁極片をキャビティ側部に水平に配向させて試料を均一磁場領域に送り込む際に少なくとも一つの搬送ベルトが均一磁場領域の外側に位置することを特徴とするマルチストリーム磁気共鳴装置。
【請求項２９】
請求項２８記載の品質／工程管理システムにおいて、磁気回路の磁極片をキャビティ側部に水平に配向させて試料を均一磁場領域に送り込む際に少なくとも一つの搬送ベルトが均一磁場領域の下側に位置することを特徴とするマルチストリーム磁気共鳴装置。
【請求項３０】
請求項２８記載の品質／工程管理システムにおいて、磁気回路の磁極片をキャビティ側部に水平に配向させて試料を均一磁場領域に送り込む際に少なくとも一つの搬送ベルトが均一磁場領域の上側に位置することを特徴とするマルチストリーム磁気共鳴装置。
【請求項３１】
請求項２６記載の品質／工程管理システムにおいて、複数の流体イメージングユニットと、演算処理手段を備え、
（ａ）前記流体イメージングユニットは、
ｉ  試料を均一磁場範囲に導くパイプと、
ｉｉ  パイプ回りに配される傾斜磁場コイルと、
ｉｉｉ  磁気共鳴測定プローブとからなり、
（ｂ）前記演算処理手段はＣＰＵからなり、流体イメージングユニットの傾斜磁場コイルを連続して高速に作動させて均一磁場に置かれた複数の異なった液体試料を磁気共鳴測定する
ことを特徴とするマルチストリーム磁気共鳴装置。
【請求項３２】
請求項３１記載の品質／工程管理システムにおいて、少なくとも２つの流体イメージングユニットを直角に配置して両ユニットの傾斜磁場コイルを互いに干渉させないで作動可能にしたことを特徴とするマルチストリーム磁気共鳴装置。
【請求項３３】
請求項３１記載の品質／工程管理システムにおいて、少なくとも２つの流体イメージングを近接して直角に配置して各ユニットの傾斜磁場コイルを短い切替時間で作動させることを可能にしたことを特徴とするマルチストリーム磁気共鳴装置。
【請求項３４】
少なくとも２つの給送システム（１００、２００）を一つの二次元平面で相対的に配列させたことを特徴とする請求項１に記載の層状給送システム。
【請求項３５】
少なくとも２つの給送システム（１００、２００）を三次元の複数平面に配列させたことを特徴とする請求項１に記載の層状給送システム。
【請求項３６】
給送ストリームを平行配列、直交配列、あるいは、これらを組み合わせた配列させたことを特徴とする請求項３４または請求項３５に記載の層状給送システム。
【請求項３７】
対象目的物の分析を行う携帯型品質／工程管理システムであって、
（ａ）目的物を分析するための磁気共鳴装置１と、
（ｂ）磁気共鳴装置の基盤である可動プラットフォーム２と、
（ｃ）前記磁気共鳴装置を操作し可動プラットフォームを作動させるオペレータ４が操作するコントローラ３とからなる
ことを特徴とする請求項１に記載の携帯型品質／工程管理システム。
【請求項３８】
前記磁気共鳴装置を複数の磁気共鳴装置を二次元もしくは三次元配列してなる詰込配列に構成したことを特徴とする請求項１に記載の携帯型品質／工程管理システム。
【請求項３９】
前記プラットフォームが、夫々が少なくとも１つの磁気共鳴装置を支持している調整可能な操作間接アーム５を複数備えた可動基部であることを特徴とする請求項１に記載の品質／工程管理システム。
【請求項４０】
コントローラが自動的に作動することを特徴とする請求項１に記載の品質／工程管理システム。
【請求項４１】
傾斜磁場電源（１０Ｂ）とＲＦ送信乃至増幅器（１０Ｃ）の時分割、ＲＦ受信機（１０Ｄ）の時分割、デジタル信号処理手段（１０Ｅ）の時分割を実行することを特徴とする請求項１に記載の携帯型品質／工程管理システム。
【請求項４２】
対象目的物が、固体、液体、気体、あるいはこれらの組み合わせであることを特徴とする請求項１に記載の携帯型品質／工程管理システム。
【請求項４３】
孵卵器の鳥卵を仕分けする選別設備、特に、鳥卵胎児の性別を検査する選別機や、処理ラインから受精卵の抽出や、適当な大きさ等の条件あるいは生理的条件に従って卵を選別することに適用することを特徴とする請求項１に記載の携帯型品質／工程管理システム。
【請求項４４】
医療診断あるいは獣医診断に適用することを特徴とする請求項１に記載の分析用品質／工程管理システム。
【請求項４５】
分析対象目的物が脊椎動物または無脊椎動物である請求項１に記載の品質／工程管理システム。
【請求項４６】
対象目的物が人間、哺乳動物、鳥、魚、昆虫、爬虫類、罹患者、医療対象動物である請求項１に記載の品質／工程管理システム。
【請求項４７】
分析対象目的物が農業原材料、農産物である請求項１に記載の品質／工程管理システム。
【請求項４８】
魚介類の卵巣の存否検査に適用する請求項４７に記載の品質／工程管理システム。
【請求項４９】
食肉中の水分量の評価検査に適用する請求項４７に記載の品質／工程管理システム。
【請求項５０】
対象目的物中の遊離基の感染状態あるいは劣化状態あるいは存否の判定に適用する請求項４７に記載の品質／工程管理システム。
【請求項５１】
検査製品の凍結レベルの判定に適用する請求項４７に記載の品質／工程管理システム。
【請求項５２】
対象目的物３が、重層物、複合体、被覆物、包装体、連続物、離散物である請求項１に記載の品質／工程管理システム。
【請求項５３】
分析対象目的物３が野菜乃至果物である請求項１に記載の品質／工程管理システム。
【請求項５４】
分析対象目的物３が柑橘類、キーウィ、ザクロ、核果類、りんご、メロン、バナナ、アボカド・パイナップル、マンゴー、トマト、ピスタチオ、カキ、アーモンド、ブドウ、ブルーベリーである請求項５３に記載の品質／工程管理システム。
【請求項５５】
果実や他の農産物あるいは原料の選別、特に、柑橘類加工工場における種子の存否検査、果実の中空状態の検査、腐敗検査、損傷検査、糖度検査、水分量検査、酸味検査、および、これらの複合検査に適用することを特徴とする請求項５３に記載の品質／工程管理システム。
【請求項５６】
種子の存否、数、大きさの検査に適用することを特徴とする請求項５３に記載の品質／工程管理システム。
【請求項５７】
虫類乃至他の病原体の存否を識別し、且つ、高周波放射線の活性作用により斯かる原因を除去することを特徴とする請求項５３に記載の品質／工程管理システム。
【請求項５８】
虫類乃至他の病原体の存否を識別し、斯かる原因を除去する殺菌手段を作動させることを特徴とする請求項５３に記載の品質／工程管理システム。
【請求項５９】
果実の内部の状態を検知し、果実の鬆、長さ、幅、容積およびこれらの組み合わせ状態を検査することを特徴とする請求項５３に記載の品質／工程管理システム。
【請求項６０】
対象目的物の熟成度を測定することを特徴とする請求項５３に記載の品質／工程管理システム。
【請求項６１】
対象目的物の劣化および凍結損傷を検査することを特徴とする請求項５３に記載の品質／工程管理システム。
【請求項６２】
対象目的物の乾燥度を判定することを特徴とする請求項５３に記載の品質／工程管理システム。
【請求項６３】
検査果実中の水分量、水活量、油分量、総液量を評価することを特徴とする請求項５３に記載の品質／工程管理システム。
【請求項６４】
検査果実内の房の数の計測することを特徴とする請求項５３に記載の品質／工程管理システム。
【請求項６５】
検査果実の変形乃至損傷を検査することを特徴とする請求項５３に記載の品質／工程管理システム。
【請求項６６】
農産物の内外部の虫害状態を検査することを特徴とする請求項５３に記載の品質／工程管理システム。
【請求項６７】
果実外皮厚および房の分離度を検査することを特徴とする請求項５３に記載の品質／工程管理システム。
【請求項６８】
対象目的物３の空気腔を検査することを特徴とする請求項５３に記載の品質／工程管理システム。
【請求項６９】
検査対象目的物の内部腐敗を検査することを特徴とする請求項５３に記載の品質／工程管理システム。
【請求項７０】
果実の糖度検査、酸味度検査、ｐＨ検査を磁気共鳴分光学測定によって実施することを特徴とする請求項５３に記載の品質／工程管理システム。
【請求項７１】
検査対象の果実の硬度や粉ふき状態などの外観を検査することを特徴とする請求項５３に記載の品質／工程管理システム。
【請求項７２】
全磁界視野に亘って高分解能の磁気共鳴画像生成を実行するための方法であって、携帯型品質／工程管理システムによって多数の対象目的物３の隣接ラインを分析し、試料の複数ストリームの計測を実行し、同時または既定の手順で検出乃至分析すべき複数の対象目的物３を搬送移動させる少なくとも２つの隣接給送ストリームを選択的に送給することからなる方法。
【請求項７３】
複数ラインの対象目的物を同時に分析する前記請求項７２に記載の方法であって、
（ａ）実質的に漏れ磁界のない少なくとも一つの詰込配列の磁気共鳴装置を備え、
（ｂ）前記磁気共鳴装置の夫々に至るラインに沿って磁気共鳴装置に対象目的物を送り込み、
（ｃ）前記磁気共鳴装置で対象目的物を分析し、
（ｄ）磁気共鳴装置の分析に基づいて対象目的物を評価する
ことからなる方法。
【請求項７４】
複数の搬送ベルト２Ａ〜２Ｄによって対象目的物３を磁気共鳴装置に送り込むことを特徴とする請求項７３に記載の方法。
【請求項７５】
複数のトンネル、導管、パイプ等によって対象目的物を磁気共鳴装置に送り込むことを特徴とする請求項７３に記載の方法。
【請求項７６】
送り込みおよび分析工程の動作を連続方式もしくはバッチ方式で実行することを特徴とする請求項７３に記載の方法。
【請求項７７】
磁気共鳴装置の磁石をＲＦおよび磁気シールド手段の一方もしくは両方を用いて間接的に遮蔽することを特徴とする請求項７３に記載の方法。
【請求項７８】
磁気共鳴装置の磁石をＲＦおよび磁気シールド手段の一方もしくは両方を用いて直接的に遮蔽することを特徴とする請求項７３に記載の方法。
【請求項７９】
全磁界視野に亘って高分解能の磁気共鳴画像生成を実行するための請求項７２に記載の方法であって、
（ａ）強力な永久磁石による閉磁気回路３０１を設け、
（ｂ）試料キャビティ３０５を設け、
（ｃ）シム調整機構３０２を設け、
（ｄ）試料キャビティ３０５に試料を送り込み、
（ｅ）シム調整機構３０２を用いて試料を導入する試料キャビティ内に均一磁場を形成し、
（ｆ）広域傾斜磁場コイル３０３を設け、
（ｇ）局所傾斜磁場コイル列３０４を設け、
（ｈ）広域傾斜磁場を画像生成範囲全体に印加し、
（ｉ）強力な傾斜磁場を局所的に印加し、
これによって、広磁界視野における低分解能画像と狭磁界視野における高分解能画像とこれらを組み合わせた画像を取得することを特徴とする方法。
【請求項８０】
少なくとも一つの局所傾斜磁場コイル３０４による磁界視野に試料キャビティ５の各部分が位置するように局所傾斜磁場コイルを重合配置することを特徴とする請求項７９に記載の方法。
【請求項８１】
少なくとも一つの局所傾斜磁場コイルの磁場が試料空孔キャビティ３０５、３０５の全体を囲包するように局所傾斜磁場コイルを移動操作できる軌道を配置した請求項７９に記載の方法。
【請求項８２】
複数の局所傾斜磁場コイル３０４によって複数の画像を連続的に取得できる高速スルーレートの特性を局所傾斜磁場コイル３０４に持たせて、複数の局所傾斜磁場コイル３０４の全体に及ぶ大型試料の画像生成を行うことを特徴とする請求項７９に記載の方法。
【請求項８３】
２つの磁極片と側壁磁石列によって磁石構成と試料空孔キャビティ３０５内に磁束を封じ込める閉磁気回路３０１を設けたことを特徴とする請求項７９に記載の方法。
【請求項８４】
広域傾斜磁場コイルの磁界視野が試料空孔キャビティ３０５の総容積を囲包することを特徴とする請求項７９に記載の方法。
【請求項８５】
シム調整機構３０２が、調整可能なシム調整コイル列よりなり、磁界視野内に位置する試料の高分解核磁気共鳴スペクトルが得られるよう少なくとも一つの広域傾斜磁場コイルの磁界視野全体に均一な磁場を形成するよう調整することを特徴とする請求項７９に記載の方法。
【請求項８６】
シム調整機構３０２が、試料全体のうちの限定領域に均一な磁場を形成する調整可能なシム調整コイル列よりなることを特徴とする請求項７９に記載の方法。
【請求項８７】
人間の頭部３１１のＮＭＲを実行する方法であって、処理対象者の肩から胴体上部を囲包する大きさの空孔キャビティ３０５を有し、監視注目範囲のみで磁場を変えて局所傾斜磁場コイルの磁界視野外における神経刺激を防止することを特徴とする請求項７９に記載の方法。
【請求項８８】
側壁磁石列を屈曲させて対象者の頭部３１１および肩を囲包する範囲内の磁場を均一にすることを特徴とする請求項８７に記載の方法。
【請求項８９】
複数試料ストリームについて磁気共鳴測定を行うための請求項７２に記載の方法であって、
（ａ）強力な永久磁石による閉磁気回路３０１を設け、
（ｂ）シム調整受動素子、シム調整能働素子のいずれかもしくは組み合わせによる配列アレイで構成された任意のシム調整機構３９２を設け、
（ｃ）磁場強度が略々均一な囲包キャビティを設け、
（ｄ）複数試料を均一磁場領域に送り込み、
これによって均一磁場領域内で複数試料について磁気共鳴測定を行う方法。
【請求項９０】
複数試料ストリームについて磁気共鳴測定を行う行うための請求項８９に記載の方法であって、
（ａ）複数試料ストリームを均一磁場領域に搬送し、
（ｂ）各試料イメージングユニットの傾斜磁場コイルを高速連続で作動させるＣＰＵ等の手段１０Ａを設け、
（ｃ）各試料ストリーム回りに傾斜磁場を設け、
（ｄ）刺激エネルギを放出し、
（ｅ）磁気共鳴測定プローブによって試料からの反応信号を受信し、
これによって、均一磁場領域で個別試料について磁気共鳴測定を行う方法。
【請求項９１】
複数の平行ストリームに沿って均一磁場領域に複数試料を同時に搬送する請求項９０に記載の複数試料ストリームについて磁気共鳴測定を行う方法。
【請求項９２】
磁気回路の磁極片をキャビティ側部に水平に配向し、これによって、試料を均一磁場領域に送り込む際に少なくとも一つの搬送ベルトが均一磁場領域の外側に位置する請求項９０に記載の複数試料ストリームについて磁気共鳴測定を行う方法。
【請求項９３】
磁気回路の磁極片をキャビティ側部に水平に配向し、これによって、試料を均一磁場領域に送り込む際に少なくとも一つの搬送ベルトが均一磁場領域の下側に位置する請求項９２に記載の複数試料ストリームについて磁気共鳴測定を行う方法。
【請求項９４】
磁気回路の磁極片をキャビティ側部に水平に配向し、これによって、試料を均一磁場領域に送り込む際に少なくとも一つの搬送ベルトが均一磁場領域の上側に位置する請求項９２に記載の複数試料ストリームについて磁気共鳴測定を行う方法。
【請求項９５】
複数の液体試料ストリームについて磁気共鳴測定を行う方法であって、
（ａ）均一磁場領域に複数の流体搬送パイプを設け、
（ｂ）各パイプ回りに傾斜磁場コイルを設け、
（ｃ）複数試料ストリームを均一磁場領域内の前記パイプに通して流し込み、
（ｄ）各試料イメージングユニットの傾斜磁場コイルを高速連続で作動させるＣＰＵ等の手段を設け、
（ｅ）各試料ストリーム回りに傾斜磁場を設け、
（ｆ）刺激エネルギを放出し、
（ｇ）磁気共鳴測定プローブによって試料からの反応信号を受信し、
これによって、均一磁場領域で個別試料について磁気共鳴測定を行う請求項８９に記載の方法。
【請求項９６】
２つの流体試料ストリームについて磁気共鳴測定を行う方法であって、作動傾斜磁場コイルによって生じる磁場が互いに干渉しないように少なくとも２つの作動流体イメージングユニットを直交状に配置した請求項９５に記載の方法。
【請求項９７】
２つの流体試料ストリームについて磁気共鳴測定を行う方法であって、少なくとも２つの作動流体イメージングユニットを近接して直交状に配置し、短い切替時間で傾斜磁場コイルを連続して作動させる請求項９５に記載の方法。
【請求項９８】
同時または既定の手順で検出乃至分析すべき複数の対象目的物を搬送移動させる少なくとも２つの隣接給送ストリームからなる高性能供給システムを備え、前記少なくとも２つの給送システム（１００、２００）を一つの二次元平面で相対的に配列させてなる層状給送システムを用いた請求項７２に記載の方法。
【請求項９９】
同時または既定の手順で検出乃至分析すべき複数の対象目的物を搬送移動させる少なくとも２つの隣接給送ストリームからなる高性能供給システムを備え、前記少なくとも２つの給送システム（１００、２００）を一つの三次元の複数平面に配列させてなる層状給送システムを用いた請求項７２に記載の方法。
【請求項１００】
前記給送ストリームを平行配列、直交配列、あるいは、これらを組み合わせた配列に設けた請求項９８または請求項９９に記載の方法。
【請求項１０１】
複数の隣接ラインの対象目的物３を携帯型品質／工程管理システムによって分析する方法であって、
（ａ）実質的に漏れ磁界のない少なくとも一つの詰込配列の磁気共鳴装置１Ａ〜１Ｄを設け、
（ｂ）分析すべき対象目的物に隣り合わせて少なくとも一つの磁気共鳴装置を配置し、
（ｃ）前記磁気共鳴装置の内部に前記対象目的物の少なくとも実効位置を挿入し、
（ｄ）前記磁気共鳴装置によって前記対象目的物３を分析する
ことを特徴とする方法。
【請求項１０２】
複数の搬送ベルトによって対象目的物を磁気共鳴装置に送り込むことを特徴とする請求項１０１に記載の方法。
【請求項１０３】
複数のトンネル、導管、パイプによって対象目的物を磁気共鳴装置に送り込むことを特徴とする請求項１０１に記載の方法。
【請求項１０４】
送り込みおよび分析工程の動作を連続方式もしくはバッチ方式で実行することを特徴とする請求項１０１に記載の方法。
【請求項１０５】
磁気共鳴装置の磁石をＲＦおよび磁気シールド手段の一方もしくは両方を用いて間接的に遮蔽することを特徴とする請求項１０１に記載の方法。
【請求項１０６】
磁気共鳴装置の磁石をＲＦおよび磁気シールド手段の一方もしくは両方を用いて直接的に遮蔽することを特徴とする請求項１０１に記載の方法。
【請求項１０７】
複数の磁気共鳴装置を分析すべき対象目的物に近接して二次元もしくは三次元配列してなる少なくとも一つの磁気共鳴詰込配列を配置したことを特徴とする請求項１０１に記載の方法。
【請求項１０８】
前記磁気共鳴装置を、夫々が少なくとも１つの磁気共鳴装置を支持している調整可能な操作間接アーム５を複数備えた可動基部であるプラットフォームで構成したことを特徴とする請求項１０１に記載の方法。
【請求項１０９】
コントローラを自動的に作動させることを特徴とする請求項１０１に記載の方法。
【請求項１１０】
分析対象目的物が人間、哺乳動物、鳥、魚、昆虫、爬虫類、罹患者、医療対象動物
である請求項１０１に記載の方法。
【請求項１１１】
分析対象目的物が脊椎動物または無脊椎動物である請求項１０１に記載の方法。
【請求項１１２】
分析対象目的物３が農業原材料、農産物である請求項１０１に記載の方法。
【請求項１１３】
分析対象目的物３が重層物、複合体、被覆物、包装体、連続物、離散物である請求項１０１に記載の方法。
【請求項１１４】
分析対象目的物３が野菜および果物である請求項１０１に記載の方法。
【請求項１１５】
果実や他の農産物あるいは原料の選別、特に、柑橘類加工工場における種子の存否検査、果実の中空状態の検査、腐敗検査、損傷検査、糖度検査、水分量検査、酸味検査、および、これらの複合検査に適用することを特徴とする請求項１１３に記載の方法。
【請求項１１６】
柑橘類、キーウィ、ザクロ、核果類、りんご、メロン、バナナ、アボカド・パイナップル、マンゴー、トマト、ピスタチオ、カキ、アーモンド、ブドウ、ブルーベリーを分析することを特徴とする請求項１１３に記載の方法。
【請求項１１７】
種子の存否、数、大きさの検査に適用することを特徴とする請求項１１３に記載の方法。
【請求項１１８】
虫類乃至他の病原体の存否を識別し、且つ、高周波放射線の活性作用により斯かる原因を除去することを特徴とする請求項１１３に記載の方法。
【請求項１１９】
虫類乃至他の病原体の存否を識別し、斯かる原因を除去する殺菌手段を作動させるフィードバック機能を有することを特徴とする請求項１１３に記載の方法。
【請求項１２０】
果実の内部の状態を検知し、特に、果実の鬆、長さ、幅、容積およびこれらの組み合わせ状態を検査することを特徴とする請求項１１３に記載の方法。
【請求項１２１】
対象目的物の熟成度を測定することを特徴とする請求項１１３に記載の方法。
【請求項１２２】
劣化および凍結損傷を検査することを特徴とする請求項１１３に記載の方法。
【請求項１２３】
乾燥度を判定することを特徴とする請求項１１３に記載の方法。
【請求項１２４】
検査果実中の水分量、水活量、油分量、総液量を評価することを特徴とする請求項１１３に記載の方法。
【請求項１２５】
検査果実内の房の数の計測することを特徴とする請求項１１３に記載の方法。
【請求項１２６】
検査果実の変形乃至損傷を検査することを特徴とする請求項１１３に記載の方法。
【請求項１２７】
農産物の内外部の虫害状態を検査することを特徴とする請求項１１３に記載の方法。
【請求項１２８】
果実外皮厚および房の分離度を検査することを特徴とする請求項１１３に記載の方法。
【請求項１２９】
分析対象目的物３の空気腔を検査することを特徴とする請求項１１３に記載の方法。
【請求項１３０】
検査対象目的物の内部腐敗を検査することを特徴とする請求項１１３に記載の方法。
【請求項１３１】
果実の糖度検査、酸味度検査、ｐＨ検査を磁気共鳴分光学測定によって実施することを特徴とする請求項１１３に記載の方法。
【請求項１３２】
検査対象の果実の硬度や粉ふき状態などの外観を検査することを特徴とする請求項１１３に記載の方法。
【請求項１３３】
魚介類の卵巣の存否を検査することを特徴とする請求項１０１に記載の方法。
【請求項１３４】
食肉中の水分量を評価検査することを特徴とする請求項１０１に記載の方法。
【請求項１３５】
食肉中の水分量を評価検査することを特徴とする請求項１０１に記載の方法。
【請求項１３６】
分析対象目的物３の遊離基の感染状態あるいは劣化状態あるいは存否を判定することを特徴とする請求項１０１に記載の方法。
【請求項１３７】
検査製品の凍結レベルを判定することを特徴とする請求項１０１に記載の方法。
【発明の詳細な説明】
【技術分野】
【０００１】
本発明は、特に、実質的に漏れ磁界のない少なくとも一つの詰込配列のマルチストリーム磁気共鳴装置よりなり、対象目的物の隣接ラインを元のままで同時に解析するための携帯型の産業品質／工程管理（ＱＰＣ）システムおよびその方法に関するものである。
【背景技術】
【０００２】
物質の特性の計測、あるいは、組成の識別検査に電磁気を利用した測定器は公知であり、磁気共鳴分光学は、分子の物理・化学・構造的な情報を得るための主要な測定技術の一つである。
【０００３】
核磁気共鳴画像生成システムでは分子構造に基づいて試料の画像を生成する。試料の全ての原子核のスピンをそろえる効果を有する分極磁場中に置き、核のラーモア周波数に近い周波数の電磁波を用いて核を励起して、磁気整列を反転させる。核への磁界励起を解除すると、核は特性電磁波を放出して元の状態に戻る。この電磁波を利用することで試料の画像生成が可能となる。
【０００４】
正確なラーモア周波数は磁場に精確に対応する。試料内の空孔キャビティに傾斜磁場を作ることで、信号発生位置を特定して試料の全体像を構築することができる。
【０００５】
この処理の能率は試料の空孔キャビティ中の磁界強度に左右される。通常、磁場は５百万分の１オーダーで制御され、磁場の均一度範囲が、ラーモア周波数を計測可能な精度を決定する。これによって、より小さい化学シフトの分解能ができることになる。
【０００６】
５ｐｐｍ以下の磁場の均一度を大規模に発生させることは極めて困難であるが、目標とする磁気共鳴装置は、かなり高い均一度の達成が容易になる極小の対象領域をイメージングして微小化学シフトを分解できるようにする。
【０００７】
囲繞磁気回路によって生じた永久磁場の変動をなくすためには、たとえば、英国特許第２３７８７６３号に記載の特定位置に置かれた特異形状の強磁性介在物、あるいは、通過電流を制御して磁界を調整する異形シム調整コイル等を利用した様々なシム調整法を用いることができる。
【０００８】
試料空孔中の均一な磁場に傾斜磁場を重畳するために傾斜磁場コイルを付加する。傾斜磁場コイルで生成できる傾斜磁場が強いほど得られる画像処理の分解能は高まるが、試料キャビティ全体をカバーするには大きいコイルが必要となる。
【０００９】
コイルを大きくすると、既定の磁場勾配を得るには大きな電力を必要とする。加えて、大型コイルは高いインダクタンスを有し、これによって得られるスルーレートを低減する。
【００１０】
試料がヒトなど磁場に変化が顕れる生体患者である場合、神経細胞内で好ましくない生理学的効果をもたらす誘導電位による神経刺激を引き起こす。目的とする空間場のみを変化する磁場に曝す磁気共鳴装置では、画像処理しない領域が刺激場とはならないので前記効果の範囲が限定されることになる。
【００１１】
こうしたことから、全磁界視野に亘って高分解能が得られ費用効果のあるマルチストリーム磁気共鳴装置の出現が永く求められていた。特に、試料全体を強い傾斜磁場に曝すことなく目的とする領域に亘って高い空間分解能画像の生成が可能で、ヒトの頭部封入体に適用できる磁気共鳴装置が望まれていた。
【００１２】
その上、複数試料を磁気共鳴装置に導入するためには搬送機構が必要となる。この搬送機構が占める空間領域は計測対象の試料を導入する際に利用できないので、搬送機構が均一磁場領域を通過する時に搬送機構がシステム効率を低下するさせる原因となる。そのため、均一磁場領域を占有しないで磁場領域に試料を導入できる搬送機構が必要である。
【００１３】
流体試料を計測するためには、傾斜磁場コイルを巻回させた測定パイプが用いられ、測定パイプを通過する試料を磁気共鳴測定することができる。複数の異なった流体を計測するには、弁を介して測定パイプに接続された供給管システムからなるマニフォルドが必要となり、各分離流体を独立して測定パイプに送り込むことになる。特に、試料間のパイプ洗浄の必要性を考える場合、数多くの流体が同じ測定パイプを通過する際に多大な時間を要することが問題となる。同時に稼働可能な多数の測定パイプを備えるシステムは特に工業環境において大きな効果があり、複数の試料を同時に計測できる費用効果のあるマルチストリーム磁気共鳴装置およびその方法が永く求められていた。
【００１４】
しかも、市販されているほとんどの磁気共鳴装置は持ち運びできない。また、内部で対象目的物を分析する際には強力な外部磁場を発生させる。こうした不要なフリンジ磁界が磁気共鳴装置を傍に設置する選択肢をなくさせていた。
【００１５】
今日では、ｐｐｍレベル以下の磁気共鳴分析に適した均一性を有し４００ｍｍ以上の利用可能な極片間の空隙を確保できる２テスラに及ぶ磁場を要求するＡＳＰｅＣＴ-ＴＭ装置などの磁気共鳴装置では外部で強力に減衰させた磁力を得ている。
【００１６】
磁気共鳴技術によって対象目的物を分析する方法および装置には様々なタイプが知られているが、現在入手可能な非可搬性の装置では斯かる対象目的物の特性素性を測定できず、複数の対象目的物の隣接ラインの分析も不可能である。
【００１７】
磁気共鳴技術の一使用例としては農産物に適用して、無害な方法で農産物商品の異常を検出するものがある。国際特許公開第０２０５９５８６号公報には、農産物商品を分析して改善するための装置および方法が開示されている。この従来技術では、農産物試料の検査は行われない。商品の品質を改善管理し野菜や果実等の収穫時期を判断するためには、磁気共鳴を利用して対象目的物の品質／工程管理を行える携帯型装置が必要になる。
【００１８】
磁気共鳴技術のもう一つの利用例としては、生体細胞組織の異常を検出するために分光法を利用したものがある。
【００１９】
米国特許公開第２００５２０４４７３号公報には、Ｘ線コンピュータ断層撮影装置乃至磁気共鳴断層撮影装置などの画像断層撮影装置が開示されており、この断層撮影装置はトンネル状乃至環状のデータ収集装置に送り込む患者用のベッドを備えている。患者が不快感を抱かないように、また、医療関係者が取り扱いやすいように、傾きを調整できる背もたれを台座に連結させた患者用ベットの構成になっている。
【００２０】
手術や輸血が必要な外傷患者には、安定化などの特殊な配慮を要し、適切な措置によって回避できたはずの多くの死亡事故が負傷後比較的短時間で発生することがあり、救命士、救急医療師、時には獣医が外傷患者を病院に救急搬送する際の生存率を改善するために安定化技術を用いる。安静を要する患者を移動する前に頸部および背部を固定して負傷者が脊椎の不要な動きによって機能不全を起こさないようにしなければならない。
【００２１】
損傷によるダメージを診断するために医療チームは、患者を病院内磁気共鳴装置が据え付けられている磁気共鳴室に搬送し、磁気共鳴分光法を行う必要があるが、入院の前後および入院中の検査の際に過剰に動作させることは潜在的なダメージをもたらすので禁物である。こうしたことが、単体構成だけで患者を磁気共鳴診断することができる携帯型の品質／工程管理用システムが永く求められていた理由である。
【００２２】
磁気共鳴技術によって対象目的物を分析する方法および装置には様々なタイプが知られているが、現在入手可能な非可搬性の装置では斯かる対象目的物の特性素性を測定できなかった。
【発明の開示】
【発明が解決しようとする課題】
【００２３】
本発明の目的は、実質的に漏れ磁界のない少なくとも一つの詰込配列のマルチストリーム磁気共鳴装置よりなり、対象目的物の隣接ラインを元のままで同時に分析するための広磁界視野にわたる高分解能画像生成のための携帯型品質／工程管理（ＱＰＣ）システムを提供することにある。更に、本発明によるシステムは、同時または既定の手順で検出乃至分析すべき複数の対象目的物を搬送移動させる少なくとも２つの隣接給送ストリームからなる高性能供給システムを選択的に備えている。このシステムは、略々ゼロギャップで並設された複数の磁石よりなり、上流または下流生産段階における製品、素材、粉体、ある程度の液体等々から非制限方式で選択される対象目的物が搬送ベルト上あるいは搬送パイプ等に入れられ、分析用の磁石に向かって搬送操作されるような産業環境で利用可能である。
【００２４】
本発明の他の目的は、全磁界視野に亘って高分解能の磁気共鳴画像生成を高い費用効果で実行できると同時に、携帯型品質／工程管理システムによって多数の対象目的物の隣接ラインを分析し、試料の複数ストリームの計測を実行すると共に、同時または既定の手順で検出乃至分析すべき複数の対象目的物を搬送移動させる少なくとも２つの隣接給送ストリームを選択的に送給する産業向きの方法を提供することにある。
本発明による方法およびシステムは設置空間を節約でき、大型の出力システム、たとえば、平行して配置する商品の分析ライン等を有効に配置できることになる。
【発明を実施するための最良の形態】
【００２５】
当該技術分野の技術者が本発明の最良の形態を実施できるよう以下に説明するが、ここに開示する本発明による、実質的に漏れ磁界のない少なくとも一つの詰込配列のマルチストリーム磁気共鳴装置よりなり、対象目的物の隣接ラインを元のままで同時に解析するための携帯型の産業品質／工程管理（ＱＰＣ）システムおよびその方法を以下の説明によって当業者が改変するできる範囲も本発明の範疇である。
【００２６】
ここでの「磁気共鳴装置」とは、ＮＭＲ、ＥＳＲ、ＮＱＲ、ＭＲＩ等の装置を意味し、電磁波で原子核が励起される際に試料中の原子の原子核から放出される信号を測定する手段である。
【００２７】
ここでの「詰込配列」とは、実質的に漏れ磁界のない２以上の磁気共鳴装置の配列を意味し、これらの磁気共鳴装置間の間隔を比較的小さくして複数の給送ラインが前記配列に向き揃い、大量（産業的規模）の計測分析対象を同時に高速で分析できるようにした構成である。
【００２８】
ここでの「ＱＰＣ」とは、計測対象目的物そのものの物性、組成、形態等と、処理工程および反応結果等を分析するための磁気共鳴装置であり、「分析」乃至「ＱＰＣ」の意味には、与えられた対象に関して磁気共鳴装置による検出、分析、対照、計測、考察、観察などが含まれる。
【００２９】
ここでの「磁界視野」とは、磁場勾配が及ぶ空間範囲である。
【００３０】
ここでの「分解能」とは２つの要素を識別できる装置の能力であって、２つの信号の間隔を識別する磁気共鳴装置の能力でもある。
【００３１】
ここでの「多層ケージ」とは、空孔キャビティを囲繞する層状に配された複数構成よりなる包絡空間である。
【００３２】
ここでの「試料空孔キャビティ」とは、試料を入れる包絡空間内の空間である。
【００３３】
ここでの「磁気回路」とは、磁北極から磁南極に磁束路を意味する。
【００３４】
ここでの「シム調整機構」とは、磁石の欠陥や外部の強磁性体などによる不均等性を補正するための機構を意味する。特に、シム調整機構には、シム調整受動素子と、シム調整能働素子と、フィードバック制御シム調整素子と、ＣＰＵ制御シム調整素子と、超伝導シム調整素子を備えてもよい。
【００３５】
ここでの「シム調整コイル」もしくは「シム調整能働素子」は、磁場の不均等性を補正するために磁石回りに設けたコイルである。
【００３６】
ここでの「シム調整受動素子」は、磁場の不均等性を補正するために磁石回りに設けた強磁性体片である。
【００３７】
ここでの「傾斜磁場コイル」は、試料空孔キャビティの少なくとも一部に傾斜磁場を発生させるコイルである。
【００３８】
ここでの「軌道」とは、試料空孔キャビティに対して傾斜磁場コイルを摺動させるレールなどの手段を意味する。
【００３９】
ここでの「スルーレート」とは、磁場勾配をゼロから最大絶対値の範囲で増大または現象させる比率である。
【００４０】
ここでの「試料イメージングユニット」とは、均一磁場中の試料の磁気共鳴を測定する手段装置を意味する。
【００４１】
ここでの「流体イメージングユニット」とは、均一磁場中の流体試料の磁気共鳴を測定する手段装置を意味する。
【００４２】
ここでの「切替速度」は、一定時間に作動する個別装置の数に相関する。
【００４３】
ここでの「磁極片」とは、永久磁石の均一磁束を形成するための高透磁率材料よりなる素子であり、一例として、直径１ミクロンオーダーの小粒状の強磁性体材料で成形された磁極片である。小粒状素材を強化し、且つ、形を保持するためにをプラスチックで被覆して小さな立方体に切り出して積み重ね、小粒状間に空間をもたせた状態で不導体接着剤で固定して形成する。こうした構造にすることで磁極片内に大きな渦電流を作り出し、磁気効率を向上させる。
【００４４】
ここでの「側壁磁石」とは、永久磁石からの磁場の均一性を維持する磁極片の側部回りに配置された永久磁石を指す。
【００４５】
ここでの「複数」とは、１より大きい整数または１に等しいことを意味する。
【００４６】
ここでの「携帯」とは、ベルトやポケットに入れて人体に装着させる程度の可搬性もしくは装着性のある特性を意味する。
【００４７】
ここでの「可動性」とは、車両移動体、航空機、船舶に設置されるシステムあるいはトラック、ライトバン、自動車、ボート、オートバイなどに搭載される無線システム等々に相当する可搬性を意味する。
【００４８】
ここでの「プラットフォーム」とは、車両移動体、航空機、船舶に設置されるシステムを指し、たとえば、トラック、キャタピラトラック、牽引車両、積載車両、ホイールローダー、ショベルカー、クレーン、リフトトラックなどを含む。
【００４９】
ここで、の「柑橘類」とは、クレモンティーヌ、マンダリン、オレンジ、グレープフルーツ、ライム、マンダリンオレンジ、レモン等の柑橘類であって、特に、アマナツ、ベルガモットオレンジ、ダイダイ、カラモンジン（カラマン）、シトラスとキンカンを交配したゴールデンライム、ダンシータンジェリン、イーチャンレモン、コブミカン、キーライム、カムクァットキンカン、および、非シトラス類としてはシトラスとの交配種であるライムカット、マンダリンライム、マンダリンオレンジ、マイヤーレモン、ミカン、ミネオーラ、オレンジェロ（シロンジャ）、オレンジカット、ペルシャライム（タヒチライム）、ラフレモン、温州みかん、シークワーサー（台湾タンジェリン）、スィーティ、タチバナオレンジ、タンジェロ、タンガロミカン、ユズなどがある。
【００５０】
ここでの「核果」とは、桃、梨、プラム、アプリコット等を指す。植物学的には、核果は、種子を内部に有する内果皮の芯（核）を外側の果皮（外果皮および中果皮）が覆っている果実の種類である。これらの果物は単心皮、特に、上位子房を有する花から進化したものである。核果の決定的な特徴は、硬質で木化した核が花の子房壁から派生したことである。特に、核果という名称は、コーヒー、ナツメ、マンゴ、オリーブ、あるいは、アーモンドなどのバラ科モモ属の種実類（中果皮が硬質）、アプリコット、チェリー、桃、ネクタリン、プラム等々に由来する。
【００５１】
ここでの「クライマクテリック型果実」とは、収穫後に熟成する果物を指し、果実および野菜などもクライマクテリック型と非クライマクテリック型に分類することができる。クライマクテリック型果実は収穫後に熟成し続けるが、非クライマクテリック型は収穫後に熟すことはない。熟成は色、味、外観（軟化する）を変化させる過程であり、このことは、離反（落果）後も熟成過程があることを意味する。
【００５２】
ここでの「熟成」とは、果物を食するのに適する状態になることを意味し、熟成すると甘味が増し、酸味や青臭さがなくなり、柔らかくなる。
【００５３】
特に、本発明のシステムは、ｉ個の対象目的物を同時に分析できる実質的に漏れ磁界のないｉ個の詰込配列の磁気共鳴装置を備えている。ここで「ｉ」は２以上の整数である。
【００５４】
本発明において、前記詰込配列がｉ個の磁気共鳴装置よりなる積層構造であり、磁気共鳴装置が幅ｘ、高さｙ、奥行ｚを有する。ここで、「ｉ」は２以上の整数であり、「ｘ」「ｙ」「ｚ」は０以上の整数であり、これらの整数が１以上の場合、ｘ＊ｙ＊ｚはｉに等しい。この積層構造の少なくとも一部の形状が多角形、円形あるいはこれらを組み合わせた形である。
【００５５】
本発明において、搬送ベルト等を用いて対象目的物の少なくとも一部をトンネルまたは導管またはパイプ等を介して磁気共鳴装置に送り込む。このシステムでは更に、動作を連続方式もしくはバッチ方式で実行できることを特徴とする。
【００５６】
また、本発明において、磁気共鳴装置の磁石をＲＦおよび磁気シールド手段の一方もしくは両方を用いて間接的もしくは直接的に遮蔽することを特徴とする。
【００５７】
好ましくは、上記品質／工程管理システムに、非制限方式の傾斜磁場電源、ＲＦ送信乃至増幅、ＲＦ受信機、デジタル信号処理手段、あるいは、これらの組み合わせの機能うちの少なくとも一つを時分割するコンピュータ制御手段を補足的に備える。
【００５８】
実質的に漏れ磁界のない磁気共鳴装置の少なくとも一つの配列よりなる産業用品質／工程管理システムを図１に概略的に示している（１Ａ〜１Ｄ）。ここでの磁気共鳴装置は、各種搬送ベルト（例：要素２Ｂ、２Ｃ）の適正間隔などの主に給送条件で決まる装置（ｉ個の１Ａ〜１Ｄ）の間隔ｄが短くなるように平行に配置されている。
【００５９】
非限定的であるがこの実施例によれば、４つの磁気共鳴装置（１Ａ〜１Ｄ）に平行な搬送ベルト（２Ａ〜２Ｄ）が対応しており、各搬送ベルトで検査対象目的物３が連続的に、または、分割して、または、脈動的に磁気共鳴装置の一つに導かれる。
【００６０】
こうした実施形態には様々な構成が可能で、たとえば、孵卵器の鳥卵を仕分けする選別設備などにも適用が可能である。具体的には、鳥卵胎児の性別を検査する選別機や、処理ラインから受精卵の抽出や、適当な大きさなどの条件あるいは所定の生理的条件に従って卵を選択的に除外するシステムなどへの適用が考えられる。
【００６１】
果実や他の農産物あるいは原料の選別にも適用でき、種子の存否検査、果実の中空状態の検査のために品質／工程管理（ＱＰＣ）すべき柑橘類加工工場で果実損傷検査、糖度検査、水分量検査、ｐｈ検査などに利用できる。
【００６２】
こうした実例は他の搬送システムでも有効で、液体の処理対象目的物、たとえば、精油工場での品質／工程管理システムに適用でき、様々の精油工程で油を送給する多数のパイプ設備で分析用の磁気共鳴装置に対象目的物を送り込むような構成に有用である。
【００６３】
この実施例によれば、各給送ライン（２Ｄなど）を少なくとも一つの流入口から磁気共鳴装置（１Ｄ）に進入させ、少なくとも一つの流出口（図示なし）から抜け出させている（５Ｄ）。品質／工程管理処理は連続方式もしくはバッチ方式で実行でき、たとえば、目的物を磁気共鳴分析する前に所定の短い時間だけ処理ラインを停止させるようにしてもよい。
【００６４】
本発明の他の実施例では、上記した品質／工程管理処理を孵卵器の鳥卵を仕分けする選別設備などにも適用でき、特に、鳥卵胎児の性別を検査する選別機や、処理ラインから受精卵の抽出や、適当な大きさなどの条件あるいは生理的条件に従って卵を選別することができる。
【００６５】
本発明の他の実施例では、果実や他の農産物あるいは原料の選別にも適用でき、特に、柑橘類加工工場における種子の存否検査、果実の中空状態の検査、腐敗検査、損傷検査、糖度検査、水分量検査、酸味検査、および、これらの複合検査に利用できる。
【００６６】
本発明のその他の実施例では、品質／工程管理が可能な上記磁気共鳴装置において、コンピュータ手段（１０Ａ）によって、傾斜磁場電源（１０Ｂ）とＲＦ送信乃至増幅器（１０Ｃ）の時分割、ＲＦ受信機（１０Ｄ）の時分割、デジタル信号処理手段（１０Ｅ）の時分割を実行する。こうしたＱＰＣ処理は窓（上面の要素６）のみを介してだけで実施できるのではなく、上記した時分割手段や全ての磁気共鳴装置を適宜組み合わせて実施できることは言うまでもない。
【００６７】
図２Ａ、２Ｂ、２Ｃに示す積層構造の磁気共鳴装置において、図２Ａ、２Ｂは多角形積層構造の正面図であり、図２Ｃは側面図である。
【００６８】
本発明の更にその他の実施例では、分析対象目的物が固体あるいは液体であり、具体的には、農業原材料、農産物、化粧品、粉末物品、気体物品、封入物、薬剤、工業製品、金属製品、あるいは、連続した物品もしくは分離した物品、あるいは、固体と液体と気体を適宜組み合わせた物品などが分析の対象目的物である。
【００６９】
本発明の一実施例において、広磁界視野にわたる画像生成を行えると共に、引き続いて対象目的物の一部を高分解能で画像生成可能な磁気共鳴装置を提供する。この装置は、試料を送り込んで画像生成するための試料キャビティを有する多層ケージを有する。この多層ケージは、強力な永久磁石による閉磁気回路を有し、均一磁場を維持することが必要な場合には、シム調整コイル、シム調整受動素子、シム調整能働素子のいずれかもしくは組み合わせによる配列アレイで構成されたシム調整機構を備える。多層ケージは更に、広域傾斜磁場コイルと局所傾斜磁場コイル列を備えている。本発明の装置によって、広磁界視野における低分解能画像と狭磁界視野における高分解能画像とこれらを組み合わせた画像が得られる。
【００７０】
本発明の他の実施例において、隣接する局所傾斜磁場コイルが重なり合い、試料空孔キャビティの各部を少なくとも一つの局所傾斜磁場コイルの磁場内に位置させるようにした磁気共鳴装置を提供する。
【００７１】
本発明の更に他の実施例において、少なくとも一つの局所傾斜磁場コイルの磁場が試料空孔キャビティの一部を囲包するように局所傾斜磁場コイルを移動操作できる軌道を備えた磁気共鳴装置を提供する。
【００７２】
本発明の更にその他の実施例において、一つの大型試料か複数の小型試料を試料空孔キャビティに送り込み、試料全体の画像生成が行えるようにした磁気共鳴装置を提供する。
【００７３】
本発明の更にその他の実施例において、複数の局所傾斜磁場コイルによって複数の画像を連続的に取得できる高速スルーレートの特性を局所傾斜磁場コイルに持たせて、複数の局所傾斜磁場コイルの全体に及ぶ大型試料の画像生成が行える磁気共鳴装置を提供する。
【００７４】
本発明の更なる実施例において、２つの磁極片と側壁磁石列によって磁石構成と試料空孔キャビティ内に磁束を封じ込める閉磁気回路を形成した磁気共鳴装置を提供する。
【００７５】
本発明の他の実施例において、広域傾斜磁場コイルの磁界視野が試料空孔キャビティの総容積を囲包する磁気共鳴装置を提供する。
【００７６】
本発明の更なる実施例において、シム調整機構がシム調整受動素子列よりなる磁気共鳴装置を提供する。
【００７７】
本発明の更なる実施例において、シム調整機構が、調整可能なシム調整コイル列よりなり、磁界視野内に位置する試料の高分解核磁気共鳴スペクトルが得られるよう少なくとも一つの広域傾斜磁場コイルの磁界視野全体に均一な磁場を形成するよう調整可能にした磁気共鳴装置を提供する。
【００７８】
本発明の更なる実施例において、シム調整機構が、試料全体のうちの限定領域に均一な磁場を形成する調整可能なシム調整コイル列よりなる磁気共鳴装置を提供する。
【００７９】
本発明の他の実施例において、処理対象者の頭部の画像生成することができる磁気共鳴装置であって、処理対象者の肩から胴体上部を囲包する大きさの空孔キャビティを有し、監視注目範囲のみで磁場を変えて局所傾斜磁場コイルの磁界視野外における神経刺激を防止するようにした磁気共鳴装置を提供する。
【００８０】
本発明の他の実施例において、側壁磁石列を屈曲させて対象者の頭部および肩を囲包する範囲内の磁場を均一にする磁気共鳴装置を提供する。
【００８１】
本発明の他の実施例において、携帯型多層ＱＰＣにおいて、以下の構成要素からなるマルチストリーム磁気共鳴装置を提供する。
【００８２】
すなわち、強力な永久磁石による閉磁気回路を有する多層ケージと、シム調整コイル、シム調整受動素子、シム調整能働素子のいずれかもしくは組み合わせによる配列アレイで構成されたシム調整機構と、磁場強度が略々均一な囲包キャビティと、複数試料を均一磁場の領域に送り込む搬送ベルトやパイプ等の搬送手段とを備えている。この装置によって、均一磁場の領域内の複数試料を磁気共鳴測定することができる。
【００８３】
本発明の他の実施例において、携帯型多層ＱＰＣにおいて、２つの磁極片と側壁磁石列によって磁石構成と試料空孔キャビティ内に磁束を封じ込める閉磁気回路を形成したマルチストリーム磁気共鳴装置を提供する。
【００８４】
本発明の更なる実施例において、携帯型多層ＱＰＣにおいて、複数の試料イメージングユニットを更に加えたマルチストリーム磁気共鳴装置を提供する。各試料イメージングユニットは、試料を均一磁場範囲に導く搬送ベルトと、搬送ベルト回りに配される傾斜磁場コイルと、磁気共鳴測定プローブとからなる。
更に、ＣＰＵ等の手段によって、試料イメージングユニットの傾斜磁場コイルを連続して高速に作動させて均一磁場に置かれた複数の異なった試料を磁気共鳴測定することができる。
【００８５】
本発明の更なる実施例において、携帯型多層ＱＰＣにおいて、試料イメージングユニットを互いに平行に配置して、複数のストリームに沿って複数試料を均一磁場領域に送り込めるマルチストリーム磁気共鳴装置を提供する。
【００８６】
本発明の他の実施例において、携帯型多層ＱＰＣにおいて、磁気回路の磁極片をキャビティ側部に水平に配向させて試料を均一磁場領域に送り込む際に少なくとも一つの搬送ベルトが均一磁場領域の外側に位置するようにしたマルチストリーム磁気共鳴装置を提供する。
【００８７】
本発明の更なる実施例において、携帯型多層ＱＰＣにおいて、磁気回路の磁極片をキャビティ側部に水平に配向させて試料を均一磁場領域に送り込む際に少なくとも一つの搬送ベルトが均一磁場領域の下側に位置するようにしたマルチストリーム磁気共鳴装置を提供する。
【００８８】
本発明の他の実施例において、携帯型多層ＱＰＣにおいて、磁気回路の磁極片をキャビティ側部に水平に配向させて試料を均一磁場領域に送り込む際に少なくとも一つの搬送ベルトが均一磁場領域の上側に位置するようにしたマルチストリーム磁気共鳴装置を提供する。
【００８９】
本発明の更なる実施例において、携帯型多層ＱＰＣにおいて、複数の流体イメージングユニットよりなる液体試料測定のためのマルチストリーム磁気共鳴装置を提供する。各流体イメージングユニットは、試料を均一磁場範囲に導くパイプと、パイプ回りに配される傾斜磁場コイルと、磁気共鳴測定プローブとからなる。更に、ＣＰＵ等の手段によって、流体イメージングユニットの傾斜磁場コイルを連続して高速に作動させて均一磁場に置かれた複数の異なった液体試料を磁気共鳴測定することができる。
【００９０】
本発明の他の実施例において、携帯型多層ＱＰＣにおいて、少なくとも２つの流体イメージングユニットを直角に配置して両ユニットの傾斜磁場コイルを互いに干渉させないで作動可能にしたマルチストリーム磁気共鳴装置を提供する。
【００９１】
本発明の更なる実施例において、携帯型多層ＱＰＣにおいて、少なくとも２つの流体イメージングを近接して直角に配置して各ユニットの傾斜磁場コイルを短い切替時間で作動させることを可能にしたマルチストリーム磁気共鳴装置を提供する。
【００９２】
図３に本発明の一実施例による目標磁気共鳴装置の断面図を示している。閉磁気回路３０１は、中央試料キャビティ３０５を囲繞するように配された大型永久磁石３０１ａと、磁極片３０１ｂと、側壁磁石列３０１ｃとからなる。シム調整機構３０２は、キャビティ内の均一磁場を維持するために設けている。広域傾斜磁場コイル３０３を試料キャビティの長さに沿って延設し、局所傾斜磁場コイル３０４をキャビティの長さに沿って間隔を持って位置させており、試料キャビティ内の容積空間が局所傾斜磁場コイルの少なくとも一つの磁場内に位置するようにしている。
【００９３】
図３ｂは、本発明による一実施例の磁気共鳴装置の概略上面図である。この図には、広域傾斜磁場コイル３０３と、局所傾斜磁場コイル３０４と、局所傾斜磁場コイルと重なる中央局所傾斜磁場コイル３０４ｂの位置関係を示しており、図では局所傾斜磁場コイル３０４を矩形に配しているが、円形、円筒形などの配列あるいは他の不規則な配列にしてもよい。
【００９４】
図４ａは磁気共鳴装置の概略断面図であり、閉磁気回路３０１によって試料キャビティ内に形成される磁束線３０６を示しており、閉磁気回路３０１は、他の実施例と同様に大型永久磁石３０１ａと、磁極片３０１ｂと、側壁磁石列３０１ｃとからなっている。
【００９５】
図４ｂは本発明の他の実施例による磁気共鳴装置の概略上面図であり、閉磁気回路３０１によって形成される試料キャビティ内の磁束線３０６を概略的に示している。
【００９６】
図５は、本発明の他の実施例における広域傾斜磁場コイル３０３によって形成される磁気共鳴装置の試料キャビティ全体の傾斜磁場３０７を概略的に示している。
【００９７】
図６は、本発明の他の実施例における一つの局所傾斜磁場コイル３０４ｂによって形成される試料キャビティにおける磁場３０８を概略的に示している。
【００９８】
図７は、本発明の他の実施例における局所傾斜磁場コイル３０４ｃによって形成され、試料キャビティに送り込む患者の頭部３１１を透通する傾斜磁場３０９を概略的に示している。この強磁場は注目領域のみに照射され、患者の脳以外の部位への影響を低減し刺激を少なくすることができる。
【００９９】
本発明によるこの磁気共鳴装置には、同時または既定の手順で検出乃至分析すべき複数の対象目的物を搬送移動させる少なくとも２つの隣接する給送ストリームよりなる給送システムを備えている。
更に詳しくは、本発明の一実施例において、前記少なくとも２つの給送システムを一つの二次元平面で相対的に配列させて層状給送システムを構成している。あるいは、前記少なくとも２つの給送システムを三次元の複数平面に配列させて層状給送システムを構成してもよい。前記給送ストリームを平行配列、直交配列、あるいは、これらを組み合わせた配列に構成することが可能である。
【０１００】
図８は、本発明の一実施例における磁気共鳴装置１０００の層状給送システムを概略的に示している。ここでは非限定的例として、磁気共鳴装置において、ライン１０３、１０４が装置の主軸Ｚに向き、ライン２０３、２０４が主軸Ｘに向くように２つの隣接送給システム１００、２００が夫々直交する配列になっている。ライン２０３、２０４およびライン１０４、１０３を複数ｎ列の平行なラインの例として図示している。ここで、「ｎ」は１以上の任意の整数であり、この実施例において、非限定例であるが、両ラインＸ、Ｚの「ｎ」は２である。一実施例で「ｎ」は２〜６であり、別の実施例では「ｎ」が４〜１０、他の実施例では「ｎ」が８より相当多く設定している。
【０１０１】
下層２００は２つの給送ライン２０３、２０４よりなり、目的物（ここでは卵）を２組の回転搬送ベルトによって送給するようになっている。この搬送ベルトは平行になっており、ベルト２０３上の目的物が開口２０１、２１１を経て磁気共鳴装置１０００の部分２００の中に送り込まれると共に、ベルト２０４上の目的物は開口２０２、２１２を経て磁気共鳴装置１０００の部分２００の中に送り込まれる。このように、ベルト２０３、２０４の給送方法が平行、対向にすることができ、「ｎ」が２より大きい場合は、様々な組み合わせにすることができる。これに関して、搬送ベルト等を直線上、曲線状、ジグザグ状、Ｕ字状あるいはこれらの組み合わせ形状に非限定的に選択できることは当然である。二次元ルートを図示しているが、ベルトの三次元進入ルートも本発明に含まれる。例えば、Ｕベルト２０３を開口２０１を経てキャビティ２００に進入させ、キャビティ２０２から抜けるようにしてもよく、その逆でもよい。
【０１０２】
同様に、搬送ベルト１０３、１０４を直線平行にして、目的物、たとえば、オレンジを開口１０１、１０２を経て装置１０００のキャビティ部１００全体に送り込み、開口１１２、１１３を経て送り出すようになっている。
【０１０３】
更に本発明では、磁気共鳴装置１０００を２以上の層状にして、２つの検出部１００、２００を形成する重層構成にできる。本発明の他の実施例では、磁気共鳴装置を複数ｍ個の検出部よりなり、ここで「ｍ」は２以上の任意の整数である。一実施例で「ｍ」は２〜６であり、別の実施例では「ｍ」が４〜１０、他の実施例では「ｍ」が８より相当多く設定している。
【０１０４】
本発明において、各搬送ベルトなどで検出される目的物は隣接ベルトで検出される目的物と同じであるが、磁気共鳴装置１０００によって固体、液体、気体などの目的物を同時に検出することができる。ここでの「同時」とは、同一の検出操作乃至検出工程での高速処理を行う際の連続検出操作を意味する。送給要素だけでなく検出操作もこれらを制御調整するための処理の対象である。
【０１０５】
図９Ａ〜９Ｅは、磁気共鳴装置１０００の内部のキャビティを模式的に示した概略上面図である。この装置は、１つの送給システムまたは２以上の隣接送給システムまたはこれらの重層構成（例えば、両システム１００、２００）からなる。説明を簡単にするために、３本の平行送給ラインを有するシステムを図示している。
【０１０６】
図９Ａは、同時もしくは規定の順序で検出すべき９つの目的物を有する矩形状の装置を示している。送給ラインは矩形の長手方向の主軸に対して平行である。
【０１０７】
図９Ｂは、同時もしくは規定の順序で検出すべき６つの目的物を有する同様の矩形状の装置を示している。
【０１０８】
図９Ｃは、同時もしくは規定の順序で検出すべき８つの目的物を有する同様の矩形状の装置を示している。この場合、長手方向の主システムで大半の目的物を検出し（図９Ａ）、次に、試料が均一磁場に入る前に試料が適正な姿勢を取るために要する間、試料を非均一磁場の領域に送給する。
【０１０９】
図９Ｄは、規定の順序で検出すべき６つの目的物を有し、流線ストリームが主軸ＸまたはＹに平行な対称立方体装置を示している。
【０１１０】
図９Ｅは、同様に規定の順序で検出すべき７つの目的物、つまり、１５％多い目的物を有し、流線ストリームが主軸ＸまたはＹに平行な対称立方体装置を示している。
【０１１１】
図１０には、均一磁場１００３の領域外にある搬送ベルト１００２の側部である均一磁場１００３の領域外に磁極片１００１ａ、１００１ｂを位置させた本発明の一実施例を示している。
【０１１２】
図１１は、平行なパイプよりなる２つの直交層１００４、１００５を均一磁場１００３に通した本発明の別の実施例を概略的に示している。この配置によって、たとえば、同時に作動させる直交状のパイプ対１００４ａ、１００５ａによる傾斜磁場コイルを構成できる。
【０１１３】
図１２は、単一流体イメージングユニットにおけるパイプ１００６と、傾斜磁場コイル１００７と、流体流れ方向１００８を概略的に示している。
【０１１４】
本発明は更に、目的物を分析するための磁気共鳴装置１と、磁気共鳴装置の基盤である可動プラットフォーム２と、前記磁気共鳴装置を操作し可動プラットフォームを作動させるオペレータ４が操作するコントローラ３とからなる対象目的物の分析を行う携帯型品質／工程管理装置を提案する。
【０１１５】
本発明による磁気共鳴装置は、複数の磁気共鳴装置を二次元もしくは三次元配列してなる詰込配列に構成される。
【０１１６】
更に本発明における一実施例では、前記プラットフォームが、夫々が少なくとも１つの磁気共鳴装置を支持している調整可能な操作間接アーム５を複数備えた可動基部である。斯かるプラットフォームは、能動的乃至受動的運動でも操縦可能で、油圧手段で駆動される。コントローラは自動的に作動する。
【０１１７】
図１３に、本発明による少なくとも１つの磁気共鳴装置１よりなる農業用品質／工程管理システムを示している。一例として、磁気共鳴装置と検査目的物である果実との距離を短くするために磁気共鳴装置を木の下に配置するとよい。
【０１１８】
この実施例では、可動プラットフォーム２に接続した複数の操作関節アーム５に固定したケージ６で前記磁気共鳴装置を囲繞している。コントローラ３を含むコンピュータ乃至小型電子処理装置をオペレータ４が操作して、磁気共鳴装置を作動させ、可動プラットフォームを運転する。分析の邪魔になる不要な物はくず入れ７で捕捉するようになっている。たとえば、磁気共鳴装置でサクランボの木を検査して、果実の糖度と酸味が適当であればサクランボを収穫するようなこともできる。
【０１１９】
本発明の一実施例として、オレンジなどの重なり合った果実の検査で、種子の存否や大きさも調整できるようになる。
【０１２０】
本発明の他の実施例として、梨などの重なり合った果実の検査では、皮の厚さに関係なく果実の熟成度を調整できるようになる。
【０１２１】
本発明の更に他の実施例として、たとえば、２．４５ＧＨｚの周波数のマイクロ波を照射することで害虫の発見と駆除を行うことができる。
【０１２２】
本発明の他の実施例では、ＱＰＣシステムに、非制限方式の傾斜磁場電源、ＲＦ送信乃至増幅、ＲＦ受信、デジタル信号処理、あるいは、これらの組み合わせの機能うちの少なくとも一つを時分割するコンピュータ制御手段を補足的に備えている。
【０１２３】
本発明の更に他の実施例では、分析対象目的物が、固体、液体、気体、あるいはこれらの組み合わせであってもよい。
【０１２４】
本発明の更に他の実施例では、分析対象目的物として、脊椎動物または無脊椎動物、人間、哺乳動物、鳥、魚、昆虫、爬虫類、罹患者、医療対象動物等々があり、事故現場、病室、家庭などでの医療診断あるいは獣医診断に適用できる。
【０１２５】
本発明の更に他の実施例では、分析対象目的物が、固体、液体、気体、あるいはこれらの組み合わせであってもよく、特に、農業原材料、農産物、化粧品、粉末物品、気体物品、封入物、薬剤、工業製品、金属製品に適用できる。
【０１２６】
農業原材料あるいは農産物としては、非限定的であるが、果物；野菜；植物；木；つる植物；雑草種子；大麦；米、ライムギ、小麦、トウモロコシ、大麦等の穀草；アマランス、キヌア、そば粉等の非穀草；エンドウ豆、レンズ豆等の豆類；ココナッツ、アーモンド、ピーナッツ等のナッツ類；ゴマ、ヒマワリ、麻等の脂肪種子；ジャガイモ、カサバ、カブ等の根菜類；アマランス、ホウレンソウ、ケール等の葉菜類；ダルス、昆布、バダーロックス等の海草類；たけのこ、ノパルサボテン、アスパラガス等の軸野菜;アーチチョーク、ブロッコリ、キスゲ等の花序野菜;パンプキン、オクラ、ナス等の果物野菜;薬草；香辛料などがある。
【０１２７】
なお、農業原材料あるいは農産物としては、非限定的であるが、ミルク等の乳製品；白子、キャビア等の卵；蜂蜜等の昆虫；牛肉、蛙の脚、ケコギ、ヤギ、馬、カンガル、子羊、マトン、豚肉、子牛、げっ歯動物等の食肉；血液を含む臓物；鶏、七面鳥、あひる、ガチョウ、ハト、ダチョウ、ホロホロチョウ、キジ、ウズラ等の鶏肉；サケ、ティラピア等の魚類を含むシーフード；軟体動物；カニ、巻き貝、カタツムリ等の甲殻類などがある。また、分析対象目的物としては、化粧品、薬剤、工業製品、化学原料及び製品等がある。
【０１２８】
また、本発明の別の態様として、特に、魚介類の卵巣の存否検査に適用できる品質／工程管理システムを提供する。
【０１２９】
本発明の別の態様として、特に、食肉中の水分量の評価検査に適用できる品質／工程管理システムを提供する。
【０１３０】
本発明の更に他の態様として特に、分析対象目的物中の遊離基の感染状態あるいは劣化状態あるいは存否の判定に適用できる品質／工程管理システムを提供する。
【０１３１】
本発明のまた別の態様として、特に、検査製品の凍結レベルの判定に適用できる品質／工程管理システムを提供する。
【０１３２】
本発明の他の態様として、野菜および果物を分析対象目的物とした品質／工程管理システムを提供する。
【０１３３】
対象となる果物として、非限定であるが、柑橘類、キーウィ、ザクロ、核果類、りんご、メロン、バナナ、アボカド・パイナップル、マンゴー、トマト、ピスタチオ、カキ、アーモンド、ブドウ、ブルーベリー等々が挙げられる。
【０１３４】
本発明の他の態様として、分析対象目的物として重層物、複合体、被覆物、包装体、連続物、離散物等々を対象とした品質／工程管理システムを提供する。
【０１３５】
前記品質／工程管理システムを様々な用途に適用可能である。たとえば、種子の存否検査；果実を取る前あるいは取った後に果物の外観状態、大きさ、重さ等を任意に組み合わせて検査して選別する選別検査；熟成度検査；害虫被害検査；湿潤度、油分含有量、乾燥度を調べる水分検査；柑橘類の内部房数および内部房状態、外皮損傷状態を調べる品質検査；果実外皮厚および房の分離度検査；糖度検査；酸味度検査；ｐＨ検査等々を磁気共鳴分光学測定により実施できる。
【０１３６】
本発明の他の態様として、虫類乃至他の病原体の存否を識別し、且つ、高周波放射線の活性作用により斯かる原因を除去できる装置を提供する。こうした非化学的な消毒によって、果物中の損傷を防止すると共に、ヒトの食物摂取に害毒をもたらさない。照射する周波数域は、一例として、約２から約４ＧＨｚまでの範囲である。
【０１３７】
ここでの「虫類」とは、微生物、細菌、有機体生物、植物乃至動物性の病原体、特に、ウイルス、バクテリア、菌類、カビ、昆虫、ハエ、バクテリア、線虫、原虫類、微胞子虫、藻類、蚊等々の有機体を含むものである。
【０１３８】
本発明の一実施例によれば、プラットフォームを通して電気エネルギが与えられ、使用者（操縦者）が手動、もしくは、自動で移動部を運転する。このシステムに、補助機構乃至電子モジュールを設けて、所期の電圧を変換してバッテリーに充電する前に使用者が与える運動を電気エネルギに変換して直ぐに利用できるようにしてもよい。
【０１３９】
本発明の他の態様として、虫類や他の病原体を検知して排斥する消毒手段を備えたフィードバック機能を有する品質／工程管理システムを提供する。
【０１４０】
本発明の他の態様として、特に、果実の鬆、長さ、幅、容積およびこれらの組み合わせから果実内部の特性要素を検査できる品質／工程管理システムを提供する。
【０１４１】
本発明の他の態様として、特に、対象目的物の熟成度を測定できる品質／工程管理システムを提供する。
【０１４２】
本発明の他の態様として、特に、劣化および凍結損傷を検査できる品質／工程管理システムを提供する。
【０１４３】
本発明の他の態様として、特に、乾燥度を判定できる品質／工程管理システムを提供する。
【０１４４】
本発明の他の態様として、特に、検査果実中の水分量、水活量、油分量、総液量を評価できる品質／工程管理システムを提供する。
【０１４５】
本発明の他の態様として、特に、検査果実内の房の数の計測ができる品質／工程管理システムを提供する。
【０１４６】
本発明の他の態様として、特に、検査果実の変形乃至損傷を検査できる品質／工程管理システムを提供する。
【０１４７】
本発明の他の態様として、特に、農産物の内外部の虫害状態を検査できる品質／工程管理システムを提供する。
【０１４８】
本発明の他の態様として、特に、果実外皮厚および房の分離度検査ができる品質／工程管理システムを提供する。
【０１４９】
本発明の他の態様として、特に、分析対象目的物の空気腔検査ができる品質／工程管理システムを提供する。
【０１５０】
本発明の他の態様として、特に、検査対象目的物の内部腐敗を検査できる品質／工程管理システムを提供する。
【０１５１】
本発明の他の態様として、特に、果実の糖度検査、酸味度検査、ｐＨ検査を磁気共鳴分光学測定によって実施できる品質／工程管理システムを提供する。
【０１５２】
本発明の他の態様として、特に、検査対象の果実の硬度や粉ふき状態などの外観を検査できる品質／工程管理システムを提供する。
【０１５３】
磁気共鳴装置は、大型永久磁石およびシム調整能働素子あるいはシム調整受動素子によるシム調整機構などからなる試料回りに強力な磁場を発生させる手段と；試料回りに傾斜磁場を発生させる手段と；誘導コイルと無線アンテナに繋がれたキャパシタからなる磁気共鳴検出プローブとを備えている。
【０１５４】
本発明は、携帯型品質／工程管理システムを用いて対象目的物３の複数隣接ラインを元のままで同時に分析し試料の複数ストリームの計測を実行すると共に、同時または既定の手順で検出乃至分析すべき複数の対象目的物３を搬送移動させる少なくとも２つの隣接給送ストリームを選択的に送給するための広磁界視野にわたる高分解能画像生成する方法を提供する。
【０１５５】
本発明は、複数ラインの対象目的物を同時に分析できる高い費用効果のある方法を提供する。本発明によるこの方法は、実質的に漏れ磁界のない少なくとも一つの詰込配列の磁気共鳴装置を備え、前記磁気共鳴装置の夫々に至るラインに沿って磁気共鳴装置に対象目的物を送り込み、前記磁気共鳴装置で対象目的物を分析し、磁気共鳴装置の分析に基づいて対象目的物を評価することからなる。
【０１５６】
本発明によるこの方法は特に、複数の搬送ベルト、複数のトンネル、導管、パイプ等によって対象目的物を磁気共鳴装置に送り込むようにしているので便利である。すなわち、分析した対象目的物が固体、液体、気体のいずれでも対応できる。
【０１５７】
本発明において、送り込みおよび分析工程の動作を連続方式もしくはバッチ方式で実行できる。本発明によるこの方法では、ＲＦ乃至磁気シールド手段によって磁気共鳴磁石の間接的乃至直接的磁気シールドを施すようにしてもよい。更に、本発明の方法では、傾斜磁場電源、ＲＦ送信乃至増幅、ＲＦ受信機、デジタル信号処理手段、あるいは、これらの組み合わせのうちの少なくとも一つを時分割することができる。
【０１５８】
本発明において、広磁界視野にわたる画像生成を行えると共に、引き続いて対象目的物の一部を高分解能で画像生成可能な磁気共鳴方法を提供する。この方法では、強力な永久磁石による閉磁気回路と、試料キャビティと、均一磁場を維持する必要がある場合は、シム調整機構を用いて、試料を導入する試料キャビティ内に均一磁場を形成するようにしている。広域傾斜磁場コイルおよび局所傾斜磁場コイル列が設けられており、広域傾斜磁場を画像生成範囲全体に印加し、強力な傾斜磁場を局所的に印加する。本発明の方法によって、広磁界視野における低分解能画像と狭磁界視野における高分解能画像とこれらを組み合わせた画像が得られる。
【０１５９】
本発明の他の実施例において、少なくとも一つの局所傾斜磁場コイルによる磁界視野に試料キャビティの各部分が位置するように局所傾斜磁場コイルを重合配置する磁気共鳴方法を提案する。
【０１６０】
本発明の更に他の実施例において、少なくとも一つの局所傾斜磁場コイルの磁場が試料空孔キャビティの全体を囲包するように局所傾斜磁場コイルを移動操作できる軌道を配置した磁気共鳴方法を提供する。
【０１６１】
本発明の他の実施例において、複数の局所傾斜磁場コイルによって複数の画像を連続的に取得できる高速スルーレートの特性を局所傾斜磁場コイルに持たせて、複数の局所傾斜磁場コイルの全体に及ぶ大型試料の画像生成が行える磁気共鳴方法を提供する。
【０１６２】
本発明のその他の実施例において、２つの磁極片と側壁磁石列によって磁石構成と試料空孔キャビティ内に磁束を封じ込める閉磁気回路を設けた磁気共鳴方法を提供する。
【０１６３】
本発明の他の実施例において、広域傾斜磁場コイルの磁界視野が試料空孔キャビティの総容積を囲包する磁気共鳴方法を提供する。
【０１６４】
本発明の他の実施例において、シム調整機構が、調整可能なシム調整コイル列よりなり、磁界視野内に位置する試料の高分解核磁気共鳴スペクトルが得られるよう少なくとも一つの広域傾斜磁場コイルの磁界視野全体に均一な磁場を形成するよう調整可能にした磁気共鳴方法を提供する。
【０１６５】
本発明の更に他の実施例において、処理対象者の頭部の画像生成することができる磁気共鳴装置であって、処理対象者の肩から胴体上部を囲包する大きさの空孔キャビティを有し、監視注目範囲のみで磁場を変えて局所傾斜磁場コイルの磁界視野外における神経刺激を防止するようにした磁気共鳴方法を提供する。
【０１６６】
最後に本発明の他の実施例において、側壁磁石列を屈曲させて対象者の頭部および肩を囲包する範囲内の磁場を均一にする磁気共鳴方法を提供する。
【０１６７】
本発明の他の実施例において、複数試料ストリームについて磁気共鳴測定を行う方法であって、強力な永久磁石による閉磁気回路を設け、シム調整受動素子、シム調整能働素子のいずれかもしくは組み合わせによる配列アレイで構成された任意のシム調整機構を設け、磁場強度が略々均一な囲包キャビティを設け、複数試料を均一磁場領域に送り込み、これによって均一磁場領域内で複数試料について磁気共鳴測定を行う方法を提供する。
【０１６８】
本発明の更に他の実施例において、複数試料ストリームについて磁気共鳴測定を行う方法であって、複数試料ストリームを均一磁場領域に搬送し、各試料イメージングユニットの傾斜磁場コイルを高速連続で作動させるＣＰＵ等の手段を用い、各試料ストリーム回りに傾斜磁場を設け、刺激エネルギを放出し、磁気共鳴測定プローブによって試料からの反応信号を受信し、これによって、均一磁場領域で個別試料について磁気共鳴測定を行う方法を提供する。
【０１６９】
本発明の他の実施例において、複数試料ストリームについて磁気共鳴測定を行う方法であって、複数の平行ストリームに沿って均一磁場領域に複数試料を同時に搬送することによって均一磁場領域内で複数試料について磁気共鳴測定を行う方法を提供する。
【０１７０】
本発明の他の実施例において、複数試料ストリームについて磁気共鳴測定を行う方法であって、磁気回路の磁極片をキャビティ側部に水平に配向し、これによって、試料を均一磁場領域に送り込む際に少なくとも一つの搬送ベルトが均一磁場領域の外側に位置するようにした方法を提供する。
【０１７１】
本発明のその他の実施例において、複数試料ストリームについて磁気共鳴測定を行う方法であって、磁気回路の磁極片をキャビティ側部に水平に配向し、これによって、試料を均一磁場領域に送り込む際に少なくとも一つの搬送ベルトが均一磁場領域の下側に位置するようにした方法を提供する。
【０１７２】
本発明の更に他の実施例において、複数試料ストリームについて磁気共鳴測定を行う方法であって、磁気回路の磁極片をキャビティ側部に水平に配向し、これによって、試料を均一磁場領域に送り込む際に少なくとも一つの搬送ベルトが均一磁場領域の上側に位置するようにした方法を提供する。
【０１７３】
本発明の更に他の実施例において、複数試料ストリームについて磁気共鳴測定を行う方法であって、均一磁場領域に複数の流体搬送パイプを設け、各パイプ回りに傾斜磁場コイルを設け、複数試料ストリームを均一磁場領域内の前記パイプに通して流し込み、
各試料イメージングユニットの傾斜磁場コイルを高速連続で作動させるＣＰＵ等の手段を設け、各試料ストリーム回りに傾斜磁場を設け、刺激エネルギを放出し、磁気共鳴測定プローブによって試料からの反応信号を受信し、これによって、均一磁場領域で個別試料について磁気共鳴測定を行う方法を提供する。
【０１７４】
本発明の他の実施例において、２つの流体試料ストリームについて磁気共鳴測定を行う方法であって、作動傾斜磁場コイルによって生じる磁場が互いに干渉しないように少なくとも２つの作動流体イメージングユニットを直交状に配置した方法を提供する。
【０１７５】
最後に本発明の他の実施例において、２つの流体試料ストリームについて磁気共鳴測定を行う方法であって、少なくとも２つの作動流体イメージングユニットを近接して直交状に配置し、短い切替時間で傾斜磁場コイルを連続して作動させる方法を提供する。
【０１７６】
また、本発明は、複数の隣接ラインの対象目的物を携帯型品質／工程管理システムによって同時に分析できる高い費用効果のある方法を提供する。
本発明によるこの方法は、実質的に漏れ磁界のない少なくとも一つの詰込配列の磁気共鳴装置を設け、分析すべき対象目的物に隣り合わせて少なくとも一つの磁気共鳴装置を配置し、前記磁気共鳴装置の内部に前記対象目的物の少なくとも実効位置を挿入し、前記磁気共鳴装置によって前記対象目的物を分析し、短時間経過後前記目的物を評価し、しかる後に、別の対象の分析を行うために動作を続けることからなる。
【０１７７】
この方法は特に、複数の搬送ベルト、複数のトンネル、導管、パイプ等によって対象目的物を磁気共鳴装置に送り込むようにしているので便利である。すなわち、分析した対象目的物が固体、液体、気体のいずれでも対応できる。
【０１７８】
本発明において、送り込みおよび分析工程の動作を連続方式もしくはバッチ方式で実行できる。本発明によるこの方法では、ＲＦ乃至磁気シールド手段によって磁気共鳴磁石の間接的乃至直接的磁気シールドを施すようにしてもよい。更に、本発明の方法では、傾斜磁場電源、ＲＦ送信乃至増幅、ＲＦ受信機、デジタル信号処理手段、あるいは、これらの組み合わせのうちの少なくとも一つを時分割することができる。
【０１７９】
また、本発明は、対象目的物を携帯型品質／工程管理システムによって分析できる方法を提供する。本発明によるこの方法は、分析すべき対象目的物に隣り合わせて少なくとも一つの磁気共鳴装置を配置し、前記磁気共鳴装置の内部に前記対象目的物の少なくとも実効位置を挿入し、前記磁気共鳴装置によって前記対象目的物を分析し、短時間経過後前記目的物を評価し、しかる後に、別の対象の分析を行うために動作を続けることからなる。
【０１８０】
本発明の他の目的は、発明携帯型品質／工程管理システムによって対象目的物の分析を高い費用効果と容易な操作で実行できる方法を提供することにある。この方法は
分析すべき対象目的物に隣り合わせて少なくとも一つの磁気共鳴装置を配置し、前記磁気共鳴装置の内部に前記対象目的物の少なくとも実効位置を挿入し、前記対象目的物を分析することからなる。
【０１８１】
本発明の他の実施例において、複数の磁気共鳴装置を分析すべき対象目的物に近接して二次元もしくは三次元配列してなる少なくとも一つの磁気共鳴詰込配列を配置することからなり、前記磁気共鳴装置を、夫々が少なくとも１つの磁気共鳴装置を支持している調整可能な操作間接アーム５を複数備えた可動基部であるプラットフォームで構成したことを特徴とする方法を提供する。
【０１８２】
本発明の他の実施例において、コントローラを自動的に作動させることを特徴とする方法を提供する。
【０１８３】
本発明の更に他の実施例では、脊椎動物または無脊椎動物を分析対象目的物とした方法を提供する。
【０１８４】
本発明のその他の実施例では、人間、哺乳動物、鳥、魚、昆虫、爬虫類、罹患者、医療対象動物等を分析対象目的物とする方法を提供する。
【０１８５】
本発明の他の実施例では、農業原材料、農産物を分析対象目的物とした方法を提供する。
【０１８６】
本発明の他の実施例では、重層物、複合体、被覆物、包装体、連続物、離散物を分析対象目的物とした方法を提供する。
【０１８７】
本発明の他の実施例では、野菜乃至果物を分析対象目的物とした方法を提供する。
【０１８８】
本発明の他の実施例では、果物や他の農産物および農業原材料を選別するのに便利であり、特に、果実の収穫前乃至収穫後に選別できる方法を提供する。
【０１８９】
本発明の他の実施例では、分析対象の果物が柑橘類、キーウィ、ザクロ、核果類、りんご、メロン、バナナ、アボカド・パイナップル、マンゴー、トマト、ピスタチオ、カキ、アーモンド、ブドウ、ブルーベリー等であることを特徴とする方法を提供する。
【０１９０】
本発明の他の実施例では、特に、種子の存否、数、サイズを検査するのに便利な方法を提供する。
【０１９１】
本発明の他の実施例では、特に、虫類乃至他の病原体の存否を識別し、且つ、高周波放射線の活性作用により斯かる原因を除去できる方法を提供する。
【０１９２】
本発明の他の実施例では、特に、虫類乃至他の病原体の存否を識別し、斯かる原因を除去する殺菌手段を作動させることができるフィードバック機能を有する方法を提供する。
【０１９３】
本発明の他の実施例では、果実の内部の状態を検知し、特に、果実の鬆、長さ、幅、容積およびこれらの組み合わせ状態を検査する方法を提供する。
【０１９４】
本発明の他の実施例では、対象目的物の熟成度を測定できる方法を提供する。
【０１９５】
本発明の他の実施例では、劣化および凍結損傷を検査できる方法を提供する。
【０１９６】
本発明の他の実施例では、乾燥度を判定できる方法を提供する。
【０１９７】
本発明の他の実施例では、検査果実中の水分量、水活量、油分量、総液量を評価できる方法を提供する。
【０１９８】
本発明の他の実施例では、検査果実内の房の数の計測ができる方法を提供する。
【０１９９】
本発明の他の実施例では、検査果実の変形乃至損傷を検査できる方法を提供する。
【０２００】
本発明の他の実施例では、農産物の内外部の虫害状態を検査できる方法を提供する。
【０２０１】
本発明の他の実施例では、果実外皮厚および房の分離度検査ができる方法を提供する。
【０２０２】
本発明の他の実施例では、分析対象目的物の空気腔検査ができる方法を提供する。
【０２０３】
本発明の他の実施例では、検査対象目的物の内部腐敗を検査できる方法を提供する。
【０２０４】
本発明の他の実施例では、果実の糖度検査、酸味度検査、ｐＨ検査を磁気共鳴分光学測定によって実施できる方法を提供する。
【０２０５】
本発明の他の実施例では、検査対象の果実の硬度や粉ふき状態などの外観を検査できる方法を提供する。
【０２０６】
本発明の他の実施例では、魚介類の卵巣の存否検査に適用できる方法を提供する。
【０２０７】
本発明の他の実施例では、食肉中の水分量の評価検査に適用できる方法を提供する。
【０２０８】
本発明の他の実施例では、分析対象目的物中の遊離基の感染状態あるいは劣化状態あるいは存否の判定に適用できる方法を提供する。
【０２０９】
最後に、本発明の他の実施例では、検査製品の凍結レベルの判定に適用できる方法を提供する。
【図面の簡単な説明】
【０２１０】
本発明およびその実施する方法を理解できるようにするために、いくつかの実施例について添付の図面を参照して例示説明する。
【図１】対象目的物の隣接ラインを同時に分析できる本発明の一実施例における磁気共鳴装置の詰込配列構造を示している。
【図２Ａ】本発明の他の実施例による様々な複合積層構造の磁気共鳴装置を概略的に示しており、図２Ａにおいてｉ＝２、ｘ＝２、ｙ＝１、ｚ＝０である。
【図２Ｂ】本発明の他の実施例による様々な複合積層構造の磁気共鳴装置を概略的に示しており、図２Ｂにおいてｉ＝６、ｘ＝３、ｙ＝１、ｚ＝０である。
【図２Ｃ】本発明の他の実施例による様々な複合積層構造の磁気共鳴装置を概略的に示しており、図２Ｃにおいてｉ＝２４、ｘ＝４、ｙ＝３、ｚ＝２である。
【図３ａ】本発明の一実施例における磁気共鳴装置の断面を概略的に示している。
【図３ｂ】本発明の一実施例における広域および局所傾斜磁場コイル３０４の位置を示した磁気共鳴装置の上面図である。
【図４ａ】本発明の他の実施例における閉磁気回路磁石によって試料空孔キャビティ内に発生される磁界を示した磁気共鳴装置の概略断面図である。
【図４ｂ】本発明の他の実施例における閉磁気回路磁石によって試料空孔キャビティ内に発生される磁界を示した磁気共鳴装置の概略上面図である。
【図５】本発明の他の実施例における広域傾斜磁場コイルによって試料空孔キャビティ内に発生される広域傾斜磁場を示している。
【図６】本発明の他の実施例における局所傾斜磁場コイルによって発生する傾斜磁場を概略的に示している。
【図７】本発明の他の実施例において試料空孔キャビティ内に位置した患者の頭部を透通する局所傾斜磁場コイルによる傾斜磁場を概略的に示している。
【図８】本発明の他の実施例による磁気共鳴装置１０００の層状給送システムを概略的に示している。
【図９Ａ】磁気共鳴装置１００の内部の空孔キャビティの概略規準上面図である。
【図９Ｂ】磁気共鳴装置１００の内部の空孔キャビティの概略規準上面図である。
【図９Ｃ】磁気共鳴装置１００の内部の空孔キャビティの概略規準上面図である。
【図９Ｄ】磁気共鳴装置１００の内部の空孔キャビティの概略規準上面図である。
【図９Ｅ】磁気共鳴装置１００の内部の空孔キャビティの概略規準上面図である。
【図１０】均一磁場範囲外に配された搬送ベルトの側部に位置する磁極片を備えた本発明による一実施例を概略的に示している。
【図１１】本発明の他の実施例における均一磁場を通る２つの直交層構造の平行パイプを備えたシステムを概略的に示している。
【図１２】単一流体イメージングユニットのパイプ、傾斜磁場コイルと流体の流れ方向を概略的に示している。
【図１３】携帯型品質／工程管理装置を概略的に示している。
【図１】
2008544217.tif 000003
【図２Ａ】
2008544217.tif 000004
【図２Ｂ】
2008544217.tif 000005
【図２Ｃ】
2008544217.tif 000006
【図３ａ】
2008544217.tif 000007
【図３ｂ】
2008544217.tif 000008
【図４ａ】
2008544217.tif 000009
【図４ｂ】
2008544217.tif 000010
【図５】
2008544217.tif 000011
【図６】
2008544217.tif 000012
【図７】
2008544217.tif 000013
【図８】
2008544217.tif 000014
【図９Ａ】
2008544217.tif 000015
【図９Ｂ】
2008544217.tif 000016
【図９Ｃ】
2008544217.tif 000017
【図９Ｄ】
2008544217.tif 000018
【図９Ｅ】
2008544217.tif 000019
【図１０】
2008544217.tif 000020
【図１１】
2008544217.tif 000021
【図１２】
2008544217.tif 000022
【図１３】
2008544217.tif 000023
【国際調査報告】
2008544217.tif 000024
2008544217.tif 000025
2008544217.tif 000026
2008544217.tif 000027
2008544217.tif 000028
2008544217.tif 000029